(57)【特許請求の範囲】
【請求項１】
電源側及び負荷側の主回路端子，固定接触子，可動接触子，消弧部，可動接触子の開閉機構部，および過電流引外し装置を備えた回路しゃ断器において、前記過電流引外し装置、固定接触子を除いた前記各部品を本体ケースに組み込むとともに、前記過電流引外し装置をユニットケースに組み込んでユニット化し、該ユニット化した過電流引外し装置を前記本体ケースへカセット式に収納するとともに、前記過電流引外し装置のユニットケースに主回路の固定接触子を一体に組み込み、かつ該固定接触子をユニットケース内で過電流引外し装置の接続端子に直接接合したことを特徴とする回路しゃ断器。
【請求項２】
電源側及び負荷側の主回路端子，固定接触子，可動接触子，消弧部，可動接触子の開閉機構部，および過電流引外し装置を備えた回路しゃ断器において、前記過電流引外し装置、固定接触子、負荷側の主回路端子を除いた前記各部品を本体ケースに組み込むとともに、前記過電流引外し装置をユニットケースに組み込んでユニット化し、該ユニット化した過電流引外し装置を前記本体ケースへカセット式に収納するとともに、前記過電流引外し装置のユニットケースに主回路の固定接触子，および負荷側の主回路端子を一体に組み込み、かつユニットケース内で過電流引外し装置の接続端子を前記の固定接触子，主回路端子に直接接合したことを特徴とする回路しゃ断器。
【請求項３】
請求項１，または２記載の回路しゃ断器において、過電流引外し装置が、過負荷電流に応動するバイメタル式の熱動形引外し装置と、短絡電流に応動する電磁形引外し装置との組合せからなることを特徴とする回路しゃ断器。
【請求項４】
請求項１，または２記載の回路しゃ断器において、過電流引外し装置が、過負荷電流，短絡電流の検出，動作電流の設定を行う電子回路とトリップ用の電磁アクチュエータとを組合せた電子式過電流引外し装置であることを特徴とする回路しゃ断器。
【発明の詳細な説明】
【０００１】
【発明の属する技術分野】
本発明は、配線用しゃ断器（オートブレーカ）などを対象とする回路しゃ断器に関し、詳しくはその過電流引外し装置周辺の組立構造に係わる。
【０００２】
【従来の技術】
頭記の配線用しゃ断器として、その過電流引外し装置をユニット化してしゃ断器の本体ケースに組み込み、その定格事項の仕様選定，変更に対してフレシキブルに対応できるようにした構成のものが知られており、その従来例の組立構造を図７に示す。
【０００３】
図７において、１は下部ケース１ａと上部カバー１ｂからなるしゃ断器の本体ケース、２は電源側の主回路端子、３は負荷側の主回路端子、４は固定接触子、５は可動接触子、６は消弧装置、７は可動接触子の開閉機構部、８はその操作ハンドル、９は過電流引外し装置であり、主回路端子２，３，固定接触子４，可動接触子５，および過電流引外し装置９は主回路の各相に対応している。
【０００４】
ここで、過電流引外し装置９を除いた各部品は本体ケース１に組み込まれており、過電流引外し装置９は独立したカートリッジ形のユニットケース１０に組み込んだ上で、本体ケース１へカセット式に収納される。すなわち、過電流引外し装置９は、過負荷電流に応動するバイメタル式の熱動形引外し装置９ａと短絡電流に瞬時応動する電磁形引外し装置９ｂを直列に接続した組合せからなり、各引外し装置の作動板９ａ-1，９ｂ-1がユニットケース１０の側壁を貫通して開閉機構部７のラッチ機構（トリップクロスバー）７ａに連係されている。また、過電流引外し装置９から引出した接続端子のうち、一方の接続端子をピン端子９ｃ，他方をＬ字形の接触形端子片９ｄとなし、ユニットケース１０を図示のように本体ケース１に収納した組立状態で前記のピン端子９ｃを固定接触子４に形成したソケット形コネクタ４ａに差込み接続し、他方の接触形端子片９ｄを負荷側の主回路端子３に重ね合わせて主回路の通電路を形成するようにしている。
【０００５】
【発明が解決しようとする課題】
ところで、前記した従来構成では組立性，取扱い面で次に記すような問題点がある。すなわち、回路しゃ断器に過電流引外しユニットを組付ける際には、過電流引外し装置９の各接続端子９ｃ，９ｄを相手側の固定接触子４，負荷側の主回路端子３と確実に接続することが必要であるが、図７の構成では１極当たり２個の接続端子（３相回路しゃ断器では接続端子の数が６個）が有り、かつその一方は差込み接続方式のものであることからその構造が複雑となるほか、製作上の寸法誤差，組立誤差が原因で各接続端子が正しく差込み接続できないことがある。また、各接続端子は接触形であることから通電時にはその接触抵抗による損失，発熱が生じる問題もある。
【０００６】
本発明は上記の点に鑑みなされたものであり、その目的は前記課題を解決してカセット式過電流引外し装置と主回路部品との電気的な接続性を改善し、併せて組立性の簡便化が図れるように改良した回路しゃ断器を提供することにある。
【０００７】
【課題を解決するための手段】
上記目的を達成するために、本発明によれば、電源側及び負荷側の主回路端子，固定接触子，可動接触子，消弧部，可動接触子の開閉機構部，および過電流引外し装置を備えた回路しゃ断器において、前記過電流引外し装置を除いた前記各部品を本体ケースに組み込むとともに、前記過電流引外し装置をユニットケースに組み込んでユニット化し、該ユニット化した過電流引外し装置を前記本体ケースへカセット式に収納して組立てたものにおいて、
(1) 前記過電流引外し装置のユニットケースに主回路の固定接触子を一体に組み込み、かつ該固定接触子をユニットケース内で過電流引外し装置の接続端子に直接接合する（請求項１）。
【０００８】
(2) 前記過電流引外し装置のユニットケースに主回路の固定接触子，および負荷側の主回路端子を一体に組み込み、かつユニットケース内で過電流引外し装置の接続端子を前記の固定接触子，主回路端子に直接接合する（請求項２）。
【０００９】
また、過電流引外し装置としては、過負荷電流に応動するバイメタル式の熱動形引外し装置と短絡電流に応動する電磁形引外し装置とを組合せたもの（請求項３）、あるいは過負荷電流，短絡電流の検出，動作電流の設定を行う電子回路とトリップ用の電磁アクチュエータとを組合せた電子式過電流引外し装置（請求項４）を適宜選択して使用することができる。
【００１０】
かかる構成によれば、過電流引外し装置と主回路の可動接触子，ないし負荷側端子との間にソケットコネクタなどの特別な通電接続手段を設ける必要がなく、かつ部品間をろう付けなどにより直接接合したことで接触抵抗による通電時の発熱損失のおそれもない。しかも、固定接触子，ないし固定接触子と負荷側主回路端子を過電流引外し装置のユニットケースへ一体に組み込んでおくことで、コンパクト化，並びにしゃ断器本体の組立工数の低減化が図れる。
【００１１】
【発明の実施の形態】
以下本発明の実施の形態を図１〜図６の実施例で説明する。なお、図示実施例の図中で図７に対応する同一部材には同じ符号を付してその説明は省略する。
【００１２】
〔実施例１〕
図１は回動式の可動接触子を装備した回路しゃ断器に請求項１に対応する過電流引外しユニットを組合せた実施例の構成図であり、ユニットケース１０には熱動形引外し装置９ａ，電磁形引外し装置９ｂに加えて、主回路の固定接触子４が一体に組み込まれており、該固定接触子４は過電流引外し装置９から引出した一方の接続端子にろう付けなどして直接接合されている。また、他方の接続端子には図７と同様なＬ字形の接触形端子片９ｄが接続されている。なお、ユニットケース１０と本体ケース１の下部ケース１ａとの結合は、一方のケース側壁面に係合爪，他方のケースに係合溝を形成しておき、ユニットケース１０を下部ケース１ａに上方から挿入した収納位置で前記の係合爪を係合溝に係合させて過電流引外しユニットを所定位置に固定するようにしている。
【００１３】
かかる構成で、過電流引外しユニットはしゃ断器本体とは別な組立ラインで組立てておく。そして、しゃ断器本体の組立工程で本体ケース１に各部品を組み込んだ後、過電流引外し装置９のユニットケース１０を本体ケースへ上方から挿入すると、その収納位置で固定接触子４が可動接触子５に対向位置し、同時に端子片９ｄが負荷側の主回路端子３の上面に押圧接触して通電路が形成される。
なお、図示には過電流引外しユニットを単体，およびしゃ断器本体に収納した組立状態が描かれており、後記の各実施例においても同様である。
【００１４】
〔実施例２〕
図２は図１と同様なしゃ断器本体に請求項２に対応する過電流引外しユニットを組合せた実施例である。
この実施例においては、過電流引外し装置９のユニットケース１０に固定接触子４，および負荷側の主回路端子３が一体に組み込まれており、ユニットケース内で固定接触子４，および主回路端子３の導体が過電流引外し装置９から引出した接続端子にろう付けなどで直接接合されている。
【００１５】
かかる構成で、過電流引外しユニットは先記の実施例１と同様にしゃ断器本体とは別な組立ラインで組立てておく。そして、しゃ断器本体の組立工程で本体ケース１に各部品を組み込んだ後、過電流引外し装置９のユニットケース１０を本体ケースに上方からカセット式に挿入すると、その収納位置で固定接触子４が可動接触子５に対向位置し、同時に負荷側の主回路端子３が本体ケース１の所定位置にセットされる。したがって、この実施例では過電流引外しユニットをしゃ断器の本体ケースに組み込む際に改めて主回路部品と導電接続するコネクタ箇所が全くなく、しゃ断器本体の組立工数の低減化，並びに組立性が改善される。
【００１６】
〔実施例３〕
図３は、一対の固定接触子４ａ，４ｂと、固定接触子４ａと４ｂとの間を橋絡する一対の可動接点を備えた可動接触子５を備え、開極動作時には開閉機構部７から突き出た駆動レバー７ｂが可動接触子５のホルダ５ａを押し下げて各極の接点を開極させるようにした回路しゃ断器に対し、請求項１に対応する過電流引外しユニットを組合せた実施例の構成図であり、過電流引外し装置９は図１に示した実施例１と同様に、熱動形引外し装置９ａと電磁形引外し装置９ｂの組合せからなり、そのユニットケース１０には一方の固定接触子４ａが一体に組み込まれて過電流引外し装置の接続端子に直接接合されている。
【００１７】
また、この実施例では開閉機構部７の操作ハンドル８を回転式ハンドルとなし、図示のＯＮ位置ではハンドル８自身が過電流引外し装置のユニットケース１０の上面に迫り出して過電流引外し装置を組み込み位置に拘束し、ハンドル８をＯＦＦ位置に回さない限り過電流引外しユニットが取り外せないようにして安全性を確保するようにしている。
【００１８】
〔実施例４〕
図４は図３と同様な橋絡形可動接触子を備えたしゃ断器本体に対し、請求項２に対応する過電流引外しユニットを組合せた実施例を示し、過電流引外し装置９のユニットケース１０に対し、実施例２と同様に固定接触子４，および負荷側の主回路端子３を一体に組み込んで構成したものである。
【００１９】
〔実施例５〕
図５は本発明の請求項１における過電流引外し装置として、請求項４に対応する電子式引外し装置を採用して構成した実施例を示すものである。
この実施例においては、ユニットケース１０に組み込んだ電子式引外し装置が、電子回路９ｅと、そのトリガ出力で作動するトリップ用の電磁アクチュエータ９ｆからなり、電子回路９ｅは主回路電流の監視回路，および負荷の保護特性に合わせた長限時引外し動作電流（定格電流），短限時引外し動作電流，瞬時引外し動作電流の設定回路，動作回路，タイマ回路，トリガ回路などで構成されており、先記した各実施例のように熱動形引外し装置９ａと電磁形引外し装置９ｂを組合せたものと同等な機能を備えている。そして、ユニットケース１０には前記の電子式引外し装置とともに主回路の固定接触子４が組み込まれており、該固定接触子４はその一端が電子引外し引外し装置の電子回路９ｅの接続端子に直接接合されている。
【００２０】
このようにユニットケース１０を共通部品として電子式引外し装置を組み込んだ過電流引外しユニットを用意することで、先記の各実施例に示した過電流引外しユニットと互換性を持たせて仕様変更にもフレキシブルに対応できる。
なお、この実施例は図１，あるいは図３に示した主回路接点機構のタイプが異なる各種回路しゃ断器に組合せて使用することができることは勿論である。
【００２１】
〔実施例６〕
図６は先記実施例５の応用実施例として、電子式引外し装置を採用した過電流引外しユニットのユニットケース１０に固定接触子４，および負荷側の主回路端子３を組み込んで構成した実施例を示すものであり、実施例５と同様に主回路接点機構のタイプが異なる各種回路しゃ断器の本体に組合せて使用することができるほか、先記実施例２，４で述べたと同様な効果が得られる。
【００２２】
【発明の効果】
以上述べたように、本発明の構成によれば、過電流引外し装置をしゃ断器の本体ケースと独立したユニットケースに主回路の固定接触子を一体に組み込み、かつ該固定接触子をユニットケース内で過電流引外し装置の接続端子に直接接合する、あるいは過電流引外し装置のユニットケースに主回路の固定接触子，および負荷側の主回路端子を一体に組み込み、かつユニットケース内で過電流引外し装置の接続端子を前記の固定接触子，主回路端子に直接接合したことにより、過電流引外し装置をユニット化してしゃ断器本体へカセット式に収納して組立てる際に、従来構成のように過電流引外し装置と主回路部品との間の電気的なコネクタ手段が必要なく、これにより寸法誤差，組立誤差などに起因する通電路の接続不良，および接触抵抗による発熱損失などの問題が解消できるほか、しゃ断器本体の組立工数削減化が図れるなど、信頼性，生産性の面で優れた効果を発揮する回路しゃ断器を提供することができる。
【図面の簡単な説明】
【図１】本発明の実施例１に対応する過電流引外しユニット，および該ユニットをしゃ断器本体に組み込んだ状態の構成断面図
【図２】本発明の実施例２に対応する過電流引外しユニット，および該ユニットをしゃ断器本体に組み込んだ状態の構成断面図
【図３】本発明の実施例３に対応する過電流引外しユニット，および該ユニットをしゃ断器本体に組み込んだ状態の構成断面図
【図４】本発明の実施例４に対応する過電流引外しユニット，および該ユニットをしゃ断器本体に組み込んだ状態の構成断面図
【図５】本発明の実施例５に対応する過電流引外しユニットの構成断面図
【図６】本発明の実施例６に対応する過電流引外しユニットの構成断面図
【図７】本発明の実施対象となる回路しゃ断器の従来例の構成断面図
【符号の説明】
１    本体ケース
３    負荷側の主回路端子
４，４ａ，４ｂ  固定接触子
５    可動接触子
６    消弧装置
７    開閉機構部
９    過電流引外し装置
９ａ  熱動形引外し装置
９ｂ  電磁形引外し装置
９ｅ  電子式過電流引外し装置の電子回路
９ｆ  電子式過電流引外し装置の電磁アクチュエータ
１０    ユニットケース
【図１】
0004055291.tif 000002
【図２】
0004055291.tif 000003
【図３】
0004055291.tif 000004
【図４】
0004055291.tif 000005
【図５】
0004055291.tif 000006
【図６】
0004055291.tif 000007
【図７】
0004055291.tif 000008